(57)【要約】【課題】歯科用インプラントフィクスチャーの埋入孔穿設とそれに続く作業時に使用するドリル等を保持でき、使用後には洗浄・減菌処理作業を簡易に行える保持トレーを提供する。【解決手段】保持トレーＸを、各ドリル等が差し込まれる直線状に並んだ複数の貫通穴1aaからなる穴列が複数設けられた基板部1aの裏面に、穴列に沿って立設された平板状で各貫通穴1aaに対応する箇所が半円筒状凹部1baを成す保持板1bと保持板1bの半円筒状凹部1baが設けられた側の平面1bbに対して一定間隔で立設された保持部材支持板1cとが設けられたオートクレーブ滅菌可能な硬質素材製のトレー本体１と、保持板1bと保持部材支持板1cとの間に取り外し可能に挟着され貫通穴1aaに差し込まれたドリル等を半円筒状凹部1baとで挟持するオートクレーブ滅菌可能な弾性素材製の保持部材２とから構成する。【選択図】図２
2011120816.tif 000002
【特許請求の範囲】
【請求項１】
歯科用インプラントフィクスチャーの埋入孔の穿設とそれに続く作業を行う際に各患者毎に使用する複数のドリル及びドリル以外のインスツルメントを差込保持する保持トレー(Ｘ)であって、
前記各ドリル及びドリル以外のインスツルメントがそれぞれ差し込まれる直線状に並んだ複数の貫通穴(1aa)からなる穴列が複数設けられている基板部(1a)の裏面に、該穴列に沿ってそれぞれ立設されている平板状で各貫通穴(1aa)に対応する箇所が半円筒状凹部(1ba)を成す保持板(1b)と該保持板(1b)の半円筒状凹部(1ba)が設けられている側の平面(1bb)に対して一定の間隔でそれぞれ立設されている保持部材支持板(1c)とが設けられているオートクレーブ滅菌可能な硬質素材から成るトレー本体(１)と、
該保持板(1b)と該保持部材支持板(1c)との間に取り外し可能に挟着されて該穴列の貫通穴(1aa)に差し込まれたドリル及びドリル以外のインスツルメントを該保持板(1b)の半円筒状凹部(1ba)とで挟持するオートクレーブ滅菌可能な弾性素材から成る保持部材(２)とから成ることを特徴とする保持トレー。
【請求項２】
トレー本体(１)の基板部(1a)の表面に、ドリルの使用する順番を表示する表示部(1ab)が設けられている請求項１に記載の保持トレー。
【請求項３】
トレー本体(１)の基板部(1a)の表面に、ドリル以外のインスツルメントが差し込まれる位置を区画して表示する区画表示部(1ac)が設けられている請求項１又は２に記載の保持トレー。
【発明の詳細な説明】
【技術分野】
【０００１】
本発明は、歯科用インプラントフィクスチャーの埋入孔の穿設とそれに続く作業を行う際に各患者毎に使用する複数のドリル及びドリル以外のインスツルメントを差込保持する保持トレーに関するものである。
【背景技術】
【０００２】
近年、歯科治療における欠如歯部の失われた口腔機能を回復するための治療方法として、欠如歯部の顎骨内に埋入して顎骨と骨結合した人工歯根となる歯科用インプラントフィクスチャーの口腔内側に歯科用補綴物を固定するインプラント治療が盛んに行われている。
【０００３】
このインプラント治療において歯科用インプラントフィクスチャーの埋入孔の穿設とそれに続く作業は、歯肉を切開又は切除して露出させた欠損歯部の顎骨にガイドドリル、デプスドリル、パイロットドリル、ツイストドリル、カウンターボアドリル及びボーンタップといったドリルやディレクションインディケーター等を使用して欠損歯部の顎骨内に埋入孔を形成し、その埋入孔内にフィクスチャードライバーを使用して適切な大きさの歯科用インプラントフィクスチャーを埋入した後に、スキルドライバーを使用して埋入した歯科用インプラントフィクスチャーの口腔内側をカバースクリューで覆うことにより行われる。
【０００４】
このように歯科用インプラントフィクスチャーの埋入孔の穿設とそれに続く作業を行う際には複数のドリル及びドリル以外のインスツルメントが使用されることから、術中の術者の作業を容易にするべく、通常これらのドリル及びドリル以外のインスツルメントは複数の貫通穴が穿設されている保持トレーに差込保持されている。
【０００５】
このような保持トレーとしては、トレー基板部に穿設された複数の貫通穴のそれぞれに中心穴を有するゴムグロメットを嵌合することにより、各ドリル及びドリル以外のインスツルメントを各貫通穴に差込保持すると共に使用時には各貫通穴から各ドリル及びドリル以外の各インスツルメントを容易に取り出すことができるようにしたものがある（例えば、特許文献１参照。）。しかしながら、この保持トレーでは、術中に血液等が付着した状態の各ドリルやドリル以外のインスツルメントが保持トレーに戻されるため、使用後に各貫通穴に嵌合されているゴムグロメットを一つ一つ取り出してゴムグロメットとトレー基板部との洗浄を行い、その後それぞれのゴムグロメットを再度各貫通穴に嵌合させてオートクレーブ減菌処理を行わなければならないため、洗浄・減菌処理作業に手間と時間がかかって大きな負担となってしまうという問題点があった。
【先行技術文献】
【特許文献】
【０００６】
【特許文献１】特表２００８−５２６２９８号
【発明の概要】
【発明が解決しようとする課題】
【０００７】
そこで本発明は、歯科用インプラントフィクスチャーの埋入孔の穿設とそれに続く作業を行う際に術者が各患者毎に使用するドリル及びドリル以外のインスツルメントを使用時に容易に取り出せる状態で差込保持することができ、使用後に洗浄・減菌処理作業を簡易に行うことができる保持トレーを提供することを課題とする。
【課題を解決するための手段】
【０００８】
本発明者らは前記課題を解決すべく鋭意検討した結果、歯科用インプラントフィクスチャーの埋入孔の穿設とそれに続く作業を行う際に各患者毎に使用する複数のドリル及びドリル以外のインスツルメントを差込保持する保持トレーを、各ドリル及びドリル以外のインスツルメントがそれぞれ差し込まれる直線状に並んだ複数の貫通穴からなる穴列が複数設けられている基板部の裏面に、穴列に沿ってそれぞれ立設されている平板状で各貫通穴に対応する箇所が半円筒状凹部を成す保持板とその保持板の半円筒状凹部が設けられている側の平面と一定の間隔でそれぞれ立設されている保持部材支持板とが設けられているオートクレーブ滅菌可能な硬質素材から成るトレー本体と、保持板と保持部材支持板との間に取り外し可能に挟着されて穴列の貫通穴に差し込まれたドリル及びドリル以外のインスツルメントを保持板の半円筒状凹部とで挟持するオートクレーブ滅菌可能な弾性素材から成る保持部材とから構成させることにより、各貫通穴に差し込まれたドリル及びドリル以外のインスツルメントが保持板の半円筒状凹部と保持部材とで挟持されるので、これらのドリル及びドリル以外のインスツルメントを使用時に容易に取り出せる状態で差込保持することができ、また各貫通穴にそれぞれゴムグロメットを嵌合するのではなく穴列に沿って立設している保持板と保持部材支持板との間に取り外し可能に保持部材を挟着すると共にトレー本体と保持部材とをオートクレーブ減菌可能な素材から作製しているので、使用後に保持部材をトレー本体の保持板と保持部材支持板との間から取り外すだけで保持部材とトレー本体との洗浄作業を行うことができると共に洗浄作業後に保持部材をトレー本体の保持板と保持部材支持板との間に取り付けるだけでオートクレーブ減菌処理を行うことができることを究明して本発明を完成したのである。
【０００９】
即ち本発明は、歯科用インプラントフィクスチャーの埋入孔の穿設とそれに続く作業を行う際に各患者毎に使用する複数のドリル及びドリル以外のインスツルメントを差込保持する保持トレーであって、前記各ドリル及びドリル以外のインスツルメントがそれぞれ差し込まれる直線状に並んだ複数の貫通穴からなる穴列が複数設けられている基板部の裏面に、該穴列に沿ってそれぞれ立設されている平板状で各貫通穴に対応する箇所が半円筒状凹部を成す保持板と該保持板の半円筒状凹部が設けられている側の平面に対して一定の間隔でそれぞれ立設されている保持部材支持板とが設けられているオートクレーブ滅菌可能な硬質素材から成るトレー本体と、該保持板と該保持部材支持板との間に取り外し可能に挟着されて該穴列の貫通穴に差し込まれたドリル及びドリル以外のインスツルメントを該保持板の半円筒状凹部とで挟持するオートクレーブ滅菌可能な弾性素材から成る保持部材とから成ることを特徴とする保持トレーである。
【００１０】
また、トレー本体の基板部の表面に、ドリルの使用する順番を表示する表示部が設けられていると、術者が表示部に表示されている順番に従って使用するドリルを選択することができるので好ましいのである。
【００１１】
更に、トレー本体の基板部の表面に、ドリル以外のインスツルメントが差し込まれる位置を区画して表示する区画表示部が設けられていると、術者が一見しただけでドリル以外のインスツルメントについても選択することができるので好ましいのである。
【発明の効果】
【００１２】
本発明に係る保持トレーでは、各貫通穴に差し込まれたドリル及びドリル以外のインスツルメントが保持板の半円筒状凹部と保持部材とで挟持されるので、使用時にこれらのドリル及びドリル以外のインスツルメントを容易に取り出せる状態で差込保持することができるのである。また、各貫通穴にそれぞれゴムグロメットを嵌合するのではなく穴列に沿って立設している保持板と保持部材支持板との間に取り外し可能に保持部材を挟着すると共にトレー本体と保持部材とをオートクレーブ滅菌可能な素材から作製しているので、使用後に保持部材をトレー本体の保持板と保持部材支持板との間から取り外すだけで保持部材とトレー本体との洗浄作業を行うことができると共に洗浄作業後に保持部材をトレー本体の保持板と保持部材支持板との間に取り付けるだけでオートクレーブ減菌処理を行うことができ、洗浄・減菌処理作業を簡易に行うことができるのである。
【００１３】
また、トレー本体の基板部の表面にドリルの使用する順番を表示する表示部が設けられていると、術者が表示部に表示されている順番に従って使用するドリルを選択することができるので好ましいのである。
【００１４】
更に、トレー本体の基板部の表面にドリル以外のインスツルメントが差し込まれる位置を区画して表示する区画表示部が設けられていると、術者が一見しただけでドリル以外のインスツルメントについても選択することができるので好ましいのである。
【図面の簡単な説明】
【００１５】
【図１】本発明に係る保持トレーの一実施例を示す平面図である。
【図２】図１の保持トレーの底面図である。
【図３】図１の保持トレーのＺ−Ｚ’線における断面図である。
【図４】図３の保持トレーの点線で区画した部分にガイドドリルが差し込まれた状態を示す拡大図である。
【図５】図２の保持トレーの点線で区画した部分の拡大図である。
【図６】トレー本体の一実施例を示す底面図である。
【図７】図５のトレー本体の点線で区画した部分の拡大図である。
【図８】保持部材の一実施例を示す斜視図である。
【図９】図１の保持トレーが、蓋が開いた状態の収納ケースに収納されている状態を示す図である。
【発明を実施するための形態】
【００１６】
以下、図面を用いて本発明に係る保持トレーについて詳細に説明する。
【００１７】
図面中、Ｘは本発明に係る保持トレーであり、トレー本体１と保持部材２とから構成される。この保持トレーＸは、歯科用インプラントフィクスチャーの埋入孔の穿設とそれを続く作業を行う際に各患者毎に使用する複数のドリル及びドリル以外のインスツルメントを差込保持する役目を果たす。この保持トレーＸに差し込まれるドリルとしては、例えばガイドドリル、デプスドリル、パイロットドリル、ツイストドリル、カウンターボアドリル及びボーンタップが挙げられ、またドリル以外のインスツルメントとしては、例えばディレクションインディケーター、フィクスチャードライバー、カバースクリュー、フィクスチャードライバー及びスキルドライバーが挙げられるが、保持トレーＸに差込保持することができるものであればこれらのドリル及びドリル以外のインスツルメントに限られない。更に、この保持トレーＸはいわゆる二次手術に使うインスツルメントについても差込保持するようにしてもよい。尚、この保持トレーＸは、例えば図９に示すように使用時までオートクレーブ減菌可能な硬質素材から成る蓋Yaが付けられている収納ケースＹに収納されており、使用時に収納ケースＹから取り出されて使用される。
【００１８】
トレー本体１は、基板部1aと保持板1bと保持部材支持板1cとから構成されている。このトレー本体１は、オートグレープ減菌処理を行うことができるようにオートクレーブ減菌可能な硬質部材から作製されている。オートクレーブ減菌可能な硬質部材としては、ポリプロピレン、ポリエーテルスルホンやポリフェニルスルホン等のプラスチックやステンレス鋼等の金属が挙げられる。
【００１９】
基板部1aは、トレー本体１の基体となる部分であり、この基板部1aには各ドリル及びドリル以外のインスツルメントがそれぞれ差し込まれる複数の貫通穴1aaが穿設されている。尚、図１、図２及び図６では複数の貫通穴1aaが基板部1aの長手方向に並ぶように直線状に穿設されて穴列を構成し、穴列が基板部1aの短手方向に複数列配置されている。
【００２０】
基板部1aの表面にドリルの使用する順番を表示する表示部1abが設けられていると、術者が表示部1aに表示されている順番に従って各患者毎に使用するドリルを選択することができるので好ましい。具体的には、この表示部1abには歯科用インプラントフィクスチャーの直径毎に一連に使用する複数のドリルの順番が表示されている。この表示部1abは、歯科用インプラントフィクスチャーの直径毎に一連に使用する複数のドリルの順番が表示され且つそのドリル表示箇所に穴が空けられているシールを貼り付けること等により基板部1aの表面に設けられる。また、基板部1aの表面にドリル以外のインスツルメントが差し込まれる位置を区画して表示する区画表示部1acが設けられていると、ドリル以外のインスツルメントについても一見しただけで容易に選択することができるので好ましい。この区画表示部1acは、表示部1abと同様にドリル以外のインスツルメントが差し込まれる位置を区画して表示され且つその区画表示箇所に穴が空けられているシールを貼り付けること等により基板部1aの表面に設けられる。尚、図１に示した実施例ではドリル表示箇所及び区画表示箇所が表示されているシールを貼り付けることにより表示部1abと区画表示部1acとを基板部1aの表面に設けている。
【００２１】
保持板1bは、各貫通穴1aaに差し込まれたドリル及びドリル以外のインスツルメントを後述する保持部材２とで挟持する部分であり、基板部1aの裏面から各穴列に沿ってそれぞれ立設されている。この保持板1bは、例えば図６及び図７に示すように基本的に平板状であるが、各貫通穴1aaに差し込まれるドリル及びドリル以外のインスツルメントを保持部材２とで挟持するべく各貫通穴1aaに対応する箇所が半円筒状凹部1baを成している。
【００２２】
保持部材支持板1cは、保持部材２を保持板1bとで取り外し可能に挟着する部分であり、保持板1bの半円筒状凹部1baが設けられている側の平面1bbと一定の間隔でそれぞれ立設されている。尚、例えば図６及び図７のように保持部材支持板1cに複数の嵌合用切欠部1caを設けると、保持部材２を位置ズレが生じないように保持させることができる。
【００２３】
保持部材２は、各貫通穴1aaに差し込まれたドリル及びドリル以外のインスツルメントを保持板1bの半円筒状凹部1baとで挟持する部材であり、基板部1aの穴列に沿って立設されている保持板1bと保持部材支持板1cとの間に取り外し可能に挟着されている。また、この保持部材２は、オートグレープ減菌処理を行うことができるようにゴム等のオートクレーブ滅菌可能な弾性部材から作製されている。尚、例えば図８のように保持部材２に保持部材支持板1cの各嵌合用切欠部1caとそれぞれ嵌合する嵌合用突出部2aを設けると、保持部材２を位置ズレが生じないように保持させることができる。
【００２４】
このような構成を有する保持トレーＸでは、各ドリル及びドリル以外のインスツルメントがそれぞれ貫通穴1aaに差し込まれると、例えば図４のように各ドリル及びドリル以外のインスツルメントが保持板1bの半円筒状凹部1baと保持部材２とで挟持されるので、各ドリル及びドリル以外のインスツルメントを使用時に容易に取り出せる状態で各貫通穴1aaに差込保持することができるのである。また、各貫通穴1aaにゴムグロメットを嵌合するのではなく、図２のように保持部材２を基板部1aの穴列に沿って立設している保持板1bと保持部材支持板1cとの間に取り外し可能に挟着していると共にトレー本体１と保持部材２とをオートクレーブ滅菌可能な素材から作製しているので、使用後に保持部材２をトレー本体１の保持板1bと保持部材支持板1cとの間から取り外すだけで保持部材２とトレー本体１との洗浄作業を行うことができ、洗浄作業後に保持部材２をトレー本体１の保持板1bと保持部材支持板1cとの間に取り付けるだけでオートクレーブ減菌処理を行うことができて、洗浄・減菌処理作業を簡易に行うことができるのである。
【００２５】
また、トレー本体１の基板部1aの表面にドリルの使用する順番を表示する表示部1abが設けられていると、術者が表示部1abに表示されている順番に従って使用するドリルを選択することができるので好ましいのである。
【００２６】
更に、トレー本体１の基板部1aの表面にドリル以外のインスツルメントが差し込まれる位置を区画して表示する区画表示部1acが設けられていると、術者が一見しただけでドリル以外のインスツルメントについても容易に選択することができるので好ましいのである。
【符号の説明】
【００２７】
Ｘ  保持トレー
Ｙ  収納ケース
Ya  蓋
１  トレー本体
1a  基板部
1aa  貫通穴
1ab  表示部
1ac  区画表示部
1b  保持板
1ba  半円筒状凹部
1bb  保持板の半円筒状凹部が設けられている側の平面
1c  保持部材支持板
1ca  嵌合用切欠部
２  保持部材
2a  嵌合用突出部
【図１】
2011120816.tif 000003
【図２】
2011120816.tif 000004
【図３】
2011120816.tif 000005
【図４】
2011120816.tif 000006
【図５】
2011120816.tif 000007
【図６】
2011120816.tif 000008
【図７】
2011120816.tif 000009
【図８】
2011120816.tif 000010
【図９】
2011120816.tif 000011